(57)【要約】【課題】コストの低減化と省エネルギー化を同時に実現し、且つ、省エネルギーに対する意識の向上を図る。【解決手段】  本発明のブラインド開閉ガイダンスシステムは、ブラインド開放時の消費エネルギーがブラインド閉鎖時の消費エネルギーより少ないと消費エネルギー比較手段が判断した場合に前記ブラインドを開放するようアドバイスするメッセージを出力する一方、前記ブラインド開放時の消費エネルギーが前記ブラインド閉鎖時の消費エネルギーより多いと前記消費エネルギー比較手段が判断した場合に前記ブラインドを閉鎖するようアドバイスするメッセージを出力するためのメッセージ出力手段を備えていることを特徴とする。【選択図】図３
2012026607.tif 000002
【特許請求の範囲】
【請求項１】
建築物の開口部に設けられたブラインドの開閉に対するアドバイスを行うためのブラインド開閉ガイダンスシステムであって、
前記ブラインドの開放時と閉鎖時にそれぞれ前記開口部から屋内に入射する日射量を算出するための屋内日射量算出手段と、
前記ブラインドの開放時と閉鎖時にそれぞれ前記開口部から屋内に入射する照度を算出するための屋内照度算出手段と、
前記ブラインドの開放時と閉鎖時にそれぞれ、前記屋内照度算出手段が算出した照度が前記屋内の必要照度に対して不足する分を照明器具で補充するために消費する照明電力を算出するための照明電力算出手段と、
前記ブラインドの開放時と閉鎖時にそれぞれ、前記照明電力算出手段が算出した照明電力から算出した照明熱負荷と前記屋内日射量算出手段が算出した日射量から算出した日射熱負荷とに基づき空調エネルギーを算出するための空調エネルギー算出手段と、
前記照明電力算出手段が前記ブラインドの開放時に算出した照明電力と前記空調エネルギー算出手段が前記ブラインドの開放時に算出した空調エネルギーとから算出した前記ブラインド開放時の消費エネルギーと、前記照明電力算出手段が前記ブラインドの閉鎖時に算出した照明電力と前記空調エネルギー算出手段が前記ブラインドの閉鎖時に算出した空調エネルギーとから算出した前記ブラインド閉鎖時の消費エネルギーとを比較するための消費エネルギー比較手段と、
前記ブラインド開放時の消費エネルギーが前記ブラインド閉鎖時の消費エネルギーより少ないと前記消費エネルギー比較手段が判断した場合に前記ブラインドを開放するようアドバイスするメッセージを出力する一方、前記ブラインド開放時の消費エネルギーが前記ブラインド閉鎖時の消費エネルギーより多いと前記消費エネルギー比較手段が判断した場合に前記ブラインドを閉鎖するようアドバイスするメッセージを出力するためのメッセージ出力手段と、
を備えていることを特徴とするブラインド開閉ガイダンスシステム。
【請求項２】
前記ブラインド開放時の消費エネルギーが前記ブラインド閉鎖時の消費エネルギーより少ないと前記消費エネルギー比較手段が判断した場合に、前記屋内照度算出手段が算出した前記ブラインドの開放時に前記開口部から屋内に入射する照度が前記屋内の必要照度に対して不足する分を補充するように前記照明器具の出力値を調整する照明出力値調整手段を備えていることを特徴とする請求項１に記載のブラインド開閉ガイダンスシステム。
【請求項３】
屋外の日射量を測定するための屋外日射量測定手段と、
屋外の照度を測定するための屋外照度測定手段と、
前記屋外日射量測定手段が測定した屋外の日射量と前記屋外照度測定手段が測定した屋外の照度に基づき屋外の環境を判断する屋外環境判断手段と、
屋外の天候が晴天であると前記屋外環境判断手段が判断した場合に、その判断日時と開口部の方位と太陽高度から直達日射が入射する開口部かどうかを判断する開口部判断手段と、
を備え、前記メッセージ出力手段は、直達日射が入射すると前記開口部判断手段が判断した開口部のブラインドを閉鎖するようアドバイスすることを特徴とする請求項１又は２に記載のブラインド開閉ガイダンスシステム。
【請求項４】
屋外の日射量を測定するための屋外日射量測定手段と、
屋外の照度を測定するための屋外照度測定手段と、
前記屋外日射量測定手段が測定した屋外の日射量と前記屋外照度測定手段が測定した屋外の照度に基づき屋外の環境を判断する屋外環境判断手段と、
屋外の天候が晴天であると前記屋外環境判断手段が判断した場合に、その判断日時と開口部の方位と太陽高度から直達日射が入射する開口部かどうかを判断する開口部判断手段と、
を備え、直達日射が入射しないと前記開口部判断手段が判断した開口部のブラインドについて、前記メッセージ出力手段は、前記ブラインド開放時の消費エネルギーが前記ブラインド閉鎖時の消費エネルギーより少ないと前記消費エネルギー比較手段が判断した場合に前記ブラインドを開放するようアドバイスするメッセージを出力する一方、前記ブラインド開放時の消費エネルギーが前記ブラインド閉鎖時の消費エネルギーより多いと前記消費エネルギー比較手段が判断した場合に前記ブラインドを閉鎖するようアドバイスするメッセージを出力することを特徴とする請求項１〜３のいずれか１の請求項に記載のブラインド開閉ガイダンスシステム。
【請求項５】
屋外の日射量を測定するための屋外日射量測定手段と、
屋外の照度を測定するための屋外照度測定手段と、
前記屋外日射量測定手段が測定した屋外の日射量と前記屋外照度測定手段が測定した屋外の照度に基づき屋外の環境を判断する屋外環境判断手段と、
を備え、屋外の天候が晴天でないと前記屋外環境判断手段が判断した場合、前記メッセージ出力手段は、前記ブラインド開放時の消費エネルギーが前記ブラインド閉鎖時の消費エネルギーより少ないと前記消費エネルギー比較手段が判断した場合に前記ブラインドを開放するようアドバイスするメッセージを出力する一方、前記ブラインド開放時の消費エネルギーが前記ブラインド閉鎖時の消費エネルギーより多いと前記消費エネルギー比較手段が判断した場合に前記ブラインドを閉鎖するようアドバイスするメッセージを出力することを特徴とする請求項１〜４のいずれか１の請求項に記載のブラインド開閉ガイダンスシステム。
【請求項６】
屋外の日射量を測定するための屋外日射量測定手段と、
屋外の照度を測定するための屋外照度測定手段と、
前記屋外日射量測定手段が測定した屋外の日射量と前記屋外照度測定手段が測定した屋外の照度に基づき屋外の環境を判断する屋外環境判断手段と、
該屋外環境判断手段が日没したと判断した場合に、前記メッセージ出力手段は、前記開口部のブラインドを閉鎖するようアドバイスすることを特徴とする請求項１〜５のいずれか１の請求項に記載のブラインド開閉ガイダンスシステム。
【発明の詳細な説明】
【技術分野】
【０００１】
本発明は、建築物の開口部に設けられたブラインドの開閉に対するアドバイスを行うためのブラインド開閉ガイダンスシステムに関する。
【背景技術】
【０００２】
従来、事務所ビルなどの建築物において、空調又は照明する際に消費されるエネルギーを削減することを目的として、各種省エネルギー技術が提案されている。
【０００３】
従来のこの種の省エネルギー技術としては、例えば、空調消費エネルギーと照明消費エネルギーの合計が最小となるようにブラインドの開閉やスラット角度を自動制御で調整する建物省エネルギー制御装置が知られている（特許文献１参照）。
【先行技術文献】
【特許文献】
【０００４】
【特許文献１】特開平７−１２７８９７号公報
【発明の概要】
【発明が解決しようとする課題】
【０００５】
しかしながら、上記した従来の省エネルギー技術では、自動制御でブラインドの開閉やスラット角度を調整しているため、コストが増大し、費用対効果を考慮すると、この技術のみで採算を取ることは難しく、実際にこの技術を広く普及させることが難しいといった問題があった。また、自動制御により省エネルギーが実現されるため、省エネルギーに対する意識の向上を図ることが難しいといった問題もあった。
【０００６】
本発明は、上記した課題を解決すべくなされたものであり、コストの低減化と省エネルギー化を同時に実現することができ、且つ、省エネルギーに対する意識の向上を図ることのできるブラインド開閉ガイダンスシステムを提供することを目的とするものである。
【課題を解決するための手段】
【０００７】
本発明は、建築物の開口部に設けられたブラインドの開閉に対するアドバイスを行うためのブラインド開閉ガイダンスシステムであって、前記ブラインドの開放時と閉鎖時にそれぞれ前記開口部から屋内に入射する日射量を算出するための屋内日射量算出手段と、前記ブラインドの開放時と閉鎖時にそれぞれ前記開口部から屋内に入射する照度を算出するための屋内照度算出手段と、前記ブラインドの開放時と閉鎖時にそれぞれ、前記屋内照度算出手段が算出した照度が前記屋内の必要照度に対して不足する分を照明器具で補充するために消費する照明電力を算出するための照明電力算出手段と、前記ブラインドの開放時と閉鎖時にそれぞれ、前記照明電力算出手段が算出した照明電力から算出した照明熱負荷と前記屋内日射量算出手段が算出した日射量から算出した日射熱負荷とに基づき空調エネルギーを算出するための空調エネルギー算出手段と、前記照明電力算出手段が前記ブラインドの開放時に算出した照明電力と前記空調エネルギー算出手段が前記ブラインドの開放時に算出した空調エネルギーとから算出した前記ブラインド開放時の消費エネルギーと、前記照明電力算出手段が前記ブラインドの閉鎖時に算出した照明電力と前記空調エネルギー算出手段が前記ブラインドの閉鎖時に算出した空調エネルギーとから算出した前記ブラインド閉鎖時の消費エネルギーとを比較するための消費エネルギー比較手段と、前記ブラインド開放時の消費エネルギーが前記ブラインド閉鎖時の消費エネルギーより少ないと前記消費エネルギー比較手段が判断した場合に前記ブラインドを開放するようアドバイスするメッセージを出力する一方、前記ブラインド開放時の消費エネルギーが前記ブラインド閉鎖時の消費エネルギーより多いと前記消費エネルギー比較手段が判断した場合に前記ブラインドを閉鎖するようアドバイスするメッセージを出力するためのメッセージ出力手段と、を備えていることを特徴とする。
【０００８】
また、本発明に係るブラインド開閉ガイダンスシステムは、前記ブラインド開放時の消費エネルギーが前記ブラインド閉鎖時の消費エネルギーより少ないと前記消費エネルギー比較手段が判断した場合に、前記屋内照度算出手段が算出した前記ブラインドの開放時に前記開口部から屋内に入射する照度が前記屋内の必要照度に対して不足する分を補充するように前記照明器具の出力値を調整する照明出力値調整手段を備えていることを特徴とする。
【０００９】
さらに、本発明に係るブラインド開閉ガイダンスシステムは、屋外の日射量を測定するための屋外日射量測定手段と、屋外の照度を測定するための屋外照度測定手段と、前記屋外日射量測定手段が測定した屋外の日射量と前記屋外照度測定手段が測定した屋外の照度に基づき屋外の環境を判断する屋外環境判断手段と、屋外の天候が晴天であると前記屋外環境判断手段が判断した場合に、その判断日時と開口部の方位と太陽高度から直達日射が入射する開口部かどうかを判断する開口部判断手段と、を備え、前記メッセージ出力手段は、直達日射が入射すると前記開口部判断手段が判断した開口部のブラインドを閉鎖するようアドバイスすることを特徴とする。
【００１０】
さらにまた、本発明に係るブラインド開閉ガイダンスシステムは、屋外の日射量を測定するための屋外日射量測定手段と、屋外の照度を測定するための屋外照度測定手段と、前記屋外日射量測定手段が測定した屋外の日射量と前記屋外照度測定手段が測定した屋外の照度に基づき屋外の環境を判断する屋外環境判断手段と、屋外の天候が晴天であると前記屋外環境判断手段が判断した場合に、その判断日時と開口部の方位と太陽高度から直達日射が入射する開口部かどうかを判断する開口部判断手段と、を備え、直達日射が入射しないと前記開口部判断手段が判断した開口部のブラインドについて、前記メッセージ出力手段は、前記ブラインド開放時の消費エネルギーが前記ブラインド閉鎖時の消費エネルギーより少ないと前記消費エネルギー比較手段が判断した場合に前記ブラインドを開放するようアドバイスするメッセージを出力する一方、前記ブラインド開放時の消費エネルギーが前記ブラインド閉鎖時の消費エネルギーより多いと前記消費エネルギー比較手段が判断した場合に前記ブラインドを閉鎖するようアドバイスするメッセージを出力することを特徴とする。
【００１１】
さらに、本発明に係るブラインド開閉ガイダンスシステムは、屋外の日射量を測定するための屋外日射量測定手段と、屋外の照度を測定するための屋外照度測定手段と、前記屋外日射量測定手段が測定した屋外の日射量と前記屋外照度測定手段が測定した屋外の照度に基づき屋外の環境を判断する屋外環境判断手段と、を備え、屋外の天候が晴天でないと前記屋外環境判断手段が判断した場合、前記メッセージ出力手段は、前記ブラインド開放時の消費エネルギーが前記ブラインド閉鎖時の消費エネルギーより少ないと前記消費エネルギー比較手段が判断した場合に前記ブラインドを開放するようアドバイスするメッセージを出力する一方、前記ブラインド開放時の消費エネルギーが前記ブラインド閉鎖時の消費エネルギーより多いと前記消費エネルギー比較手段が判断した場合に前記ブラインドを閉鎖するようアドバイスするメッセージを出力することを特徴とする。
【００１２】
さらに、本発明に係るブラインド開閉ガイダンスシステムは、屋外の日射量を測定するための屋外日射量測定手段と、屋外の照度を測定するための屋外照度測定手段と、前記屋外日射量測定手段が測定した屋外の日射量と前記屋外照度測定手段が測定した屋外の照度に基づき屋外の環境を判断する屋外環境判断手段と、該屋外環境判断手段が日没したと判断した場合に、前記メッセージ出力手段は、前記開口部のブラインドを閉鎖するようアドバイスすることを特徴とする。
【発明の効果】
【００１３】
本発明によれば、コストの低減化と省エネルギー化を同時に実現することができ、且つ、省エネルギーに対する意識の向上を図ることができる等、種々の優れた効果を得ることができる。
【図面の簡単な説明】
【００１４】
【図１】本発明の実施の形態に係るブラインド開閉ガイダンスシステムを示す概念図である。
【図２】本発明の実施の形態に係るブラインド開閉ガイダンスシステムを示す構成ブロック図である。
【図３】本発明の実施の形態に係るブラインド開閉ガイダンスシステムの動作フローを示すフローチャートである。
【発明を実施するための形態】
【００１５】
以下、図面を参照しつつ、本発明の実施の形態について説明する。ここで、図１は本発明の実施の形態に係るブラインド開閉ガイダンスシステムを示す概念図、図２は本発明の実施の形態に係るブラインド開閉ガイダンスシステムを示す構成ブロック図である。
【００１６】
図１に示すように、本発明の実施の形態に係るブラインド開閉ガイダンスシステムは、事務室内の窓１等の開口部に設置されるブラインド２と、事務室内において在席者毎に設置されるパソコン端末３と、天井面に設置される照明器具４と、屋外に設置される日射計５及び照度計６と、機械室内に設置される空調機器７（図２参照）と、前記パソコン端末３、照明器具４、日射計５及び照度計６、及び空調機器７がそれぞれ接続されるサーバ８とを備えて構成されている。そして、パソコン端末３はディスプレイ９を備え、パソコン端末３に対して所定の操作を行うことにより、ディスプレイ９にメッセージ画面が表示されるようになっている。
【００１７】
また、図２に示すように、サーバ８は、演算部１０と、制御部１１と、ＲＡＭ（Random Access Memory）やＲＯＭ（Read Only Memory）などから成る記憶部１２と、前記各機器等３，４，５，６，７との接続を中継するＩ／Ｆ１３とから主に構成されている。
【００１８】
次に、図面を参照しつつ、本発明の実施の形態に係るブラインド開閉ガイダンスシステムの動作について説明する。ここで、図３は本発明の実施の形態に係るブラインド開閉ガイダンスシステムの動作フローを示すフローチャートである。
【００１９】
屋外では、常時又は一定の周期で、図３のステップ１に示すように、日射計５が屋外の日射量を測定すると共に照度計６が屋外の照度を測定し、これらの各測定値はＩ／Ｆ１３を介してサーバ８に送信され、記憶部１２に記憶される。そして、ステップ２において、制御部１１は、屋外環境判断手段として、前記日射量の測定値及び前記照度の測定値を予め設定された日没判定用の日射量の所定値及び照度の所定値とそれぞれ比較する。この結果、制御部１１は、前記日射量の測定値及び前記照度の測定値が予め設定された日没判定用の日射量の所定値及び照度の所定値より少ないことから日没したと判断すると、ステップ３に示すように、各パソコン端末３のディスプレイ９に対して窓１のブラインド２を閉鎖するようアドバイスを表示させる。
【００２０】
一方、制御部１１は、前記日射量の測定値及び前記照度の測定値が予め設定された日射量の所定値及び照度の所定値より多いことから日没していないと判断すると、次のステップ４において、制御部１１は、屋外環境判断手段として、前記日射量の測定値及び前記照度の測定値を予め設定された天候判定用の日射量の所定値及び照度の所定値とそれぞれ比較する。この結果、制御部１１は、前記日射量の測定値及び前記照度の測定値が予め設定された天候判定用の日射量の所定値及び照度の所定値より多いことから天候が晴天であると判断すると、次のステップ５に進む。
【００２１】
ステップ５では、制御部１１は開口部判断手段として機能する。すなわち、制御部１１は、その判断日時と予め記憶部１２に記憶されている窓１の方位と太陽高度から直達日射が入射する窓１かどうかを判断した結果、その窓１に直達日射が入射すると判断すると、ステップ６に示すように、各パソコン端末３のディスプレイ９に対して窓１のブラインド２を閉鎖し、ブラインド２のスラット角度を調整するようアドバイスを表示させる。
【００２２】
一方、前記ステップ４において前記日射量の測定値及び前記照度の測定値が予め設定された天候判定用の日射量の所定値及び照度の所定値より少ないことから天候が晴天ではないと制御部１１が判断した場合、又は、前記ステップ５において窓１に直達日射が入射しないと制御部１１が判断した場合には、次のステップ７及び８に進む。
【００２３】
ステップ７及び８では、演算部１０は屋内日射量算出手段及び屋内照度算出手段として機能する。すなわち、演算部１０は、ステップ７ではブラインド２の開放時に窓１から屋内に入射する日射量Ｉｗ及び照度Ｅｗを算出し、ステップ８ではブラインド２の閉鎖時に窓１から屋内に入射する日射量Ｉｗ及び照度Ｅｗを算出する。
【００２４】
この時、演算部１０は、窓１から屋内に入射する日射量Ｉｗを、次式（１）に従って算出する。
【００２５】
Ｉｗ＝ηＩ×αＩ×Ａｒ×Ｉ              （１）
ここで、Ｉは、屋外の日射計５で測定した水平面における屋外全天日射量であり、ηＩは、日射計５で測定した水平面での日射量を窓面での日射量に変換するための修正係数である。また、αＩは、日射熱透過率であり、窓１に使用するガラスのカタログ値を使用し、さらに、Ａｒは、壁面における窓面積の割合（窓面積率）である。なお、入射角は、一様とし、直角入射時のガラス物性データを使用する。
【００２６】
また、演算部１０は、窓１から屋内に入射する照度Ｅｗを、次式（２）に従って算出する。
【００２７】
Ｅｗ＝ηＥ×αＥ×Ａｒ×Ｅ              （２）
ここで、Ｅは、屋外の照度計６で測定した水平面における屋外全天空照度であり、ηＥは、照度計６で測定した水平面での照度を窓面での照度に変換するための修正係数である。また、αＥは、日射熱透過率であり、窓１に使用するガラスのカタログ値を使用し、さらに、Ａｒは、壁面における窓面積の割合（窓面積率）である。なお、入射角は、一様とし、直角入射時のガラス物性データを使用する。
【００２８】
次のステップ９及び１０では、演算部１０は照明電力算出手段及び空調エネルギー算出手段として機能する。すなわち、演算部１０は、ステップ９においてブラインド２の開放時に窓１から屋内に入射する前記照度Ｅｗが屋内の必要照度に対して不足する分を照明器具４で補充するために消費する照明電力を算出し、ステップ１０においてブラインド２の閉鎖時に窓１から屋内に入射する前記照度Ｅｗが屋内の必要照度に対して不足する分を照明器具４で補充するために消費する照明電力を算出する。
【００２９】
また、演算部１０は、ステップ９において、ブラインド２の開放時の前記照明電力から算出した照明熱負荷とブラインド２の開放時に窓１から屋内に入射する日射量Ｉｗから算出した日射熱負荷とに基づき、ブラインド２開放時の空調電力を算出し、ステップ１０において、ブラインド２の閉鎖時の前記照明電力から算出した照明熱負荷とブラインド２の閉鎖時に窓１から屋内に入射する日射量Ｉｗから算出した日射熱負荷とに基づき、ブラインド２閉鎖時の空調電力を算出する。
【００３０】
このようにブラインド２の開放時と閉鎖時の照明電力と空調電力をそれぞれ算出した後、制御部１１は、ステップ１１において、消費エネルギー比較手段として機能する。すなわち、制御部１１は、前記ステップ９において演算部１０が算出したブラインド２開放時の照明電力と空調電力とを合計して得られたブライド２開放時の消費電力と、前記ステップ１０において演算部１０が算出したブラインド２閉鎖時の照明電力と空調電力とを合計して得られたブラインド２閉鎖時の消費電力とを比較する。
【００３１】
この結果、制御部１１は、ブラインド２開放時の消費電力がブラインド２閉鎖時の消費電力より少ないと判断した場合、ステップ１２に示すように、各パソコン端末３のディスプレイ９に対して窓１のブラインド２を開放するようアドバイスを表示させる。一方、制御部１１は、ブラインド２開放時の消費電力がブラインド２閉鎖時の消費電力より多いと判断した場合、ステップ１３に示すように、各パソコン端末３のディスプレイ９に対して窓１のブラインド２を閉鎖するようアドバイスを表示させる。
【００３２】
そして、前記ステップ１２において各パソコン端末３のディスプレイ９に対して窓１のブラインド２を開放するようアドバイスを表示させた場合、制御部１１は、次のステップ１４において、出力値調整手段として機能し、前記ステップ９及び１０において演算部１０が算出したブラインド２開放時に窓１から屋内に入射する照度が前記屋内の必要照度に対して不足する分を補充するように照明器具４の出力値を調整（調光）させる。
【００３３】
以降、上記した動作を繰り返し行い、３０分から６時間の間の所定の間隔で各パソコン端末３のディスプレイ９に上記した各アドバイスを表示させる。
【実施例】
【００３４】
以下、表１を参照しつつ、上記したブラインド開閉ガイダンスシステムのさらに具体的な実施例について説明する。
【００３５】
本実施例では、気候が曇天、全天日射量Ｉが１００[Ｗ／ｍ２]、全天空照度Ｅが２０，０００[ｌｘ]、修正係数ηＥ，ηＥが０．５、日射熱透過率αＩ，αＥが０．５（熱線吸収ガラス）、入射角が一様、窓面積率Ａｒが０．３４、日射量Ｉｗが１０．２[Ｗ／ｍ２]、照度Ｅｗが２，０４０[ｌｘ]、空調機器７のシステム成績係数（ＣＯＰ）が１（定格値又はＢＥＭＳデータ値）、照明器具４の必要照度が７５０[ｌｘ]、照明効率が９０[ｌｘ／Ｗ]、ブラインド２閉鎖時の遮光率が０．９という条件において、ブラインド２を開放し且つ照明器具４の出力値を調整（調光）した場合と、ブラインド２を閉鎖し且つ照明器具４の出力値を調整（調光）した場合とを比較した。
【００３６】
表１はその比較結果を示している。
【００３７】
【表１】
2012026607.tif 000003
ここで、表１中の日射熱[Ｗ]は、屋内における日射量分布を示し、窓１からの距離の２乗に反比例すると仮定して前記日射量Ｉｗを按分して算出している。また、表１中の照度[ｌｘ]は、屋内における照度分布を示し、窓１からの距離の２乗に反比例すると仮定して前記照度Ｅｗを按分して算出している。そして、表１中の照明電力[Ｗ]は、この按分した各照度が前記必要照度に対して不足する分を照明器具４により補充した時に消費する電力を算出したものである。
【００３８】
表１に示すように、本実施例によれば、ブラインド２を開放し且つ照明器具４の出力値を調整（調光）した時の合計消費電力が２２６．９[Ｗ]となり、ブラインド２を閉鎖し且つ照明器具４の出力値を調整（調光）した時の合計消費電力の２４６．５[Ｗ]より少なくなるため、制御部１１は各パソコン端末３のディスプレイ９に対して窓１のブラインド２を開放するようアドバイスを表示させる。
【００３９】
このように本発明の実施の形態及び実施例に係るブラインド開閉ガイダンスシステムによれば、各パソコン端末３のディスプレイ９にアドバイスを表示することにより、在席者に対して手動でブラインドの開閉やスラット角度を調整させるようにしているため、自動制御に掛かる費用を低く抑制しつつ省エネルギー化を実現することが可能となる。また、コストの低減化に伴い、採算性が高くなり、このシステムを広く普及させることが可能となる。
【００４０】
さらにまた、各パソコン端末３のディスプレイ９に表示されたアドバイスに従って在席者自らがブラインド２を操作することにより、在席者に対して省エネルギー化の貢献を実感させることができ、省エネルギー化に対する啓蒙の効果を期待することができる。さらに、在席者に暑い、寒い、暗い、明るいといった体感をさせることにより、ブラインド２の操作が促進され、省エネルギー化の促進を図ることが可能となる。
【００４１】
なお、上記した本発明の実施の形態及び実施例に係るブラインド開閉ガイダンスシステムでは、各パソコン端末３のディスプレイ９にブラインド２の操作に関するアドバイスのみを表示させているが、例えば、ブラインド２を開放することにより達成される省エネルギー率や削減される電力量等、他の情報を表示させてもよい。そして、この場合には、在席者に対して省エネルギーの効果を定量的に実感させることができ、省エネルギーに対する意識をさらに向上させることができる。
【００４２】
また、上記実施の形態では、空調設備が電力のみを使用して冷房運転を行う場合を想定し、ブラインド２の開閉時の空調電力と照明電力を合計した消費電力を比較してブラインド２開閉のアドバイスを表示するようにしているが、本発明は、この場合に限定されるものではなく、空調設備が都市ガス等、電力以外の一次エネルギーを使用して冷房運転を行う場合についても適用可能である。
【符号の説明】
【００４３】
１          窓
２          ブラインド
３          パソコン端末
４          照明器具
５          日射計
６          照度計
１０        演算部
１１        制御部
【図１】
2012026607.tif 000004
【図２】
2012026607.tif 000005
【図３】
2012026607.tif 000006